(57)【特許請求の範囲】
【請求項１】
複数のシート状物を綴じてなる冊子体と、該冊子体に設けられた穿孔部と、該穿孔部に挿脱自在に挿入可能な挿入体よりなる玩具において、
前記冊子体は、互いに異なる見開き印刷層を有する複数の見開き頁を有し、
前記挿入体は、互いに異なる挿入体印刷層を有する複数の平坦部を有し、且つ当該複数の平坦部のいずれを上面としても前記穿孔部に挿入可能であり、
前記穿孔部に前記挿入体を挿入すると、前記見開き印刷層と前記挿入体印刷層とが正しい組み合わせになったときに、当該見開き印刷層と当該挿入体印刷層とが関連した印刷絵柄として認識可能となることを特徴とする玩具。
【請求項２】
前記冊子体は、前記挿入体の前記挿入体印刷層を有する平坦部の面数以上の見開き印刷層を有する見開き頁を有することを特徴とする請求項１に記載の玩具。
【請求項３】
前記穿孔部は、複数の前記挿入体が挿入可能な形状であることを特徴とする請求項１又は請求項２の何れかに記載の玩具。
【請求項４】
前記挿入体は直方体の形状を有し、その少なくとも長方形の四面は挿入体印刷層を有する平坦部であって、
前記冊子体は、少なくとも四面数以上の見開き印刷層を有する見開き頁を有することを特徴とする請求項１乃至請求項３の何れか一つに記載の玩具。
【請求項５】
前記挿入体は正六面体の形状を有し、その各面は挿入体印刷層を有する平坦部であって、
前記冊子体は、少なくとも六面数以上の見開き印刷層を有する見開き頁を有することを特徴とする請求項１乃至請求項３の何れか一つに記載の玩具。
【請求項６】
前記穿孔部は、複数の前記挿入体が嵌合可能な形状を有し、
前記見開き印刷層と前記複数の挿入体の挿入体印刷層とは、その全てが正しい組み合わせになったときに、関連した印刷絵柄として認識可能となることを特徴とする請求項５に記載の玩具。
【請求項７】
前記穿孔部は、冊子体の背線の一部を含み、該背線を中心に対称となる形状を有していることを特徴とする請求項１乃至請求項６の何れか一つに記載の玩具。
【請求項８】
前記冊子体は、見開いた状態で保持するための保持部を有することを特徴とする請求項１乃至請求項７の何れか一つに記載の玩具。
【発明の詳細な説明】
【０００１】
【発明の属する技術分野】
本発明は、複数のシート状物を綴じてなる冊子体と、該冊子体に設けられた穿孔部と、該穿孔部に挿入可能な挿入体よりなる玩具に関する。特に、前記穿孔部に挿入体を挿入すると、見開き印刷層と挿入体印刷層が関連した印刷絵柄として認識可能となる玩具に関する。
【０００２】
【従来の技術】
従来より、複数の立方体のそれぞれの面に異なる絵柄を設けて、正しい面と正しい位置関係に配列すると一つの絵柄となる玩具が公知である。これらは並び方により６つの絵柄が現れるが、組み合わせが多く幼児，子供等の思考力や創造力を推進させることができる。
しかし、これらは枠の仕切りの中で前記立方体のブロックの絵柄のみで組み合わせるので、絵柄を覚えてしまうと興味が薄れていくという問題があった。
また、幼児，低学年等を対象とした玩具はプラスチック等が主体であり、焼却廃棄においては好ましくないという問題もあり、木製の玩具等も増えつつある。
しかし、木製の玩具はコストが高くなることと重量が重いという問題がある。
【０００３】
【発明が解決しようとする課題】
本発明は、紙を主体とし軽量で、冊子体と挿入体の組み合わせで、種類が多く変化のある前記冊子体と挿入体の関連した印刷絵柄を認識可能とする玩具を提供することを課題とする。
【０００４】
【課題を解決するための手段】
請求項１に記載の発明は、複数のシート状物を綴じてなる冊子体と、該冊子体に設けられた穿孔部と、該穿孔部に挿脱自在に挿入可能な挿入体よりなる玩具において、前記冊子体は、互いに異なる見開き印刷層を有する複数の見開き頁を有し、前記挿入体は、互いに異なる挿入体印刷層を有する複数の平坦部を有し、且つ当該複数の平坦部のいずれを上面としても前記穿孔部に挿入可能であり、前記穿孔部に前記挿入体を挿入すると、前記見開き印刷層と前記挿入体印刷層とが正しい組み合わせになったときに、当該見開き印刷層と当該挿入体印刷層とが関連した印刷絵柄として認識可能となることを特徴とする玩具である。
このような構成とすることにより、見開き印刷層と挿入体印刷層とが関連した印刷絵柄として認識可能な正しい組み合わせになったときに正解とするパズルとして用いることもでき、幼児、子供等の知的発育を伸ばすことも可能である。
ここで、挿入体としては前記穿孔部に挿入し、前記見開き印刷層と関連した印刷絵柄として認識可能であればよく、形状については立体、自由曲面を有する物、植物、動物、静物、建物、等あらゆるものが使用できる。
ここで、挿入とは穿孔部に隙間を有して挿入体を入れる場合と、隙間を有さずに入れる場合を含むものである。
【０００５】
請求項２に記載の発明は、前記冊子体は、前記挿入体の前記挿入体印刷層を有する平坦部の面数以上の見開き印刷層を有する見開き頁を有することを特徴とする請求項１に記載の玩具である。
このような構成とすることにより、見開き印刷層と挿入体印刷層との組み合わせの数が増えるので、パズル等の玩具として用いる場合、より難しいものとなり対象年齢の幅も広くなる。
【０００６】
請求項３に記載の発明は、前記穿孔部は、複数の前記挿入体が挿入可能な形状であることを特徴とする請求項１又は請求項２の何れかに記載の玩具である。
このような構成とすることにより、見開き印刷層と複数の挿入体の挿入体印刷層との組み合わせの数が増えるので、パズル等の玩具として用いる場合、より難しいものとなり対象年齢の幅も広くなる。
【０００７】
請求項４に記載の発明は、前記挿入体は直方体の形状を有し、その少なくとも長方形の四面は挿入体印刷層を有する平坦部であって、前記冊子体は、少なくとも四面数以上の見開き印刷層を有する見開き頁を有することを特徴とする請求項１乃至請求項３の何れか一つに記載の玩具である。
このような構成とすることにより、穿孔部を矩形にでき、挿入体の平坦部が６面になる。それで上面の挿入体印刷層が冊子体の見開き印刷層と一致するか平行段違いの状態になる。また、下面も平坦部となり冊子体の穿孔部に前記挿入体を挿入した時の安定も良い。
【０００８】
請求項５に記載の発明は、前記挿入体は正六面体の形状を有し、その各面は挿入体印刷層を有する平坦部であって、前記冊子体は、少なくとも六面数以上の見開き印刷層を有する見開き頁を有することを特徴とする請求項１乃至請求項３の何れか一つに記載の玩具である。
このような構成とすることにより、冊子体に正六面体の一面の形状の穿孔部を設けた場合、そこに挿入体を挿入し各面を出せば６種類の印刷層が得られ、冊子体の見開き印刷層との６種類の組み合わせが得られる。また、冊子体を捲って見開き印刷層を変えればそこでも６種類の組み合わせができる。すなわち、冊子体の見開き頁の数の６倍の組み合わせとなる。
【０００９】
請求項６に記載の発明は、前記穿孔部は、複数の前記挿入体が嵌合可能な形状を有し、
前記見開き印刷層と前記複数の挿入体の挿入体印刷層とは、その全てが正しい組み合わせになったときに、関連した印刷絵柄として認識可能となることを特徴とする請求項５に記載の玩具である。
このような構成、すなわち、冊子体に正六面体状の挿入体が複数嵌合可能な穿孔部を設けることにより、関連した一つの絵柄が隙間なく連続して見やすいと共に、組み合わせは飛躍的に増大する。
【００１０】
請求項７に記載の発明は、前記穿孔部は、冊子体の背線の一部を含み、該背線を中心に対称となる形状を有していることを特徴とする請求項１乃至請求項６の何れか一つに記載の玩具である。
このような構成とすることにより、冊子体を捲り見開き印刷層を変えても常に穿孔部の形状が同じになり、挿入体を共通して見開き中央に挿入可能とする。
【００１１】
請求項８に記載の発明は、前記冊子体は、見開いた状態で保持するための保持部を有することを特徴とする請求項１乃至請求項７の何れか一つに記載の玩具である。
このような構成とすることにより、冊子体を見開いた状態で保持できると共に、挿入体を冊子体に挿入する時の高さ方向の調整が可能となる。すなわち、冊子体の厚さより高さ方向に大きい挿入体を挿入しても、冊子体の見開き印刷層と  挿入体の挿入体印刷層の面を合わせることができる。
【００１２】
【発明の実施の形態】
実施の形態を図面を用いて詳細に説明する。
図１は本発明の玩具の一実施の形態を示す構成部分である冊子体１の斜視図である。該冊子体１は綴じ部４で綴じられており、穿孔部２を有している。
図２は図１の冊子体１を開いた状態を示す斜視図である。該冊子体は見開き印刷層３を有している。
【００１３】
図３は前記冊子体１の穿孔部２に挿入するための挿入体５の一実施の形態を示す説明図である。該挿入体５は、少なくとも一面は挿入体印刷層を有している。図３（イ）は図２の穿孔部２に略隙間なく挿入（嵌合）することができる。図３（ロ）は円柱形であり、穿孔部２（この場合は直方体）に隙間を有して挿入される。本発明の冊子体１と穿孔部２及び挿入体５からなる玩具は、挿入体５を穿孔部２に挿入したとき、見開き印刷層３と挿入体印刷層６が関連した印刷絵柄として認識可能となればよいものである。穿孔部２の形状や数も任意である。
図３（ハ），（ニ），（ホ）は挿入体５の下部が穿孔部２に挿入され、上部の屋根形、自動車形、うさぎ形の部分が冊子体１の見開き印刷面より上に立体的に出っ張り、見開き印刷層３と該立体的な挿入体印刷層５とが関連した印刷絵柄として認識されるものである。
ここで、印刷絵柄とは画像のみでなく、文字、数字、マーク、又はそれらの組み合わせでもよい。
【００１４】
冊子体１の材質としては、紙、ボール紙、合成紙、ダンボール、合紙体、プラスチック、またはそれらの積層体等が使用可能であるが、廃棄等の問題で紙素材が好ましい。また、冊子体の一頁の厚さは絵本等で使用されている様な腰のある自重で折れ曲がらない程度のものが好ましい。
綴じ部４は合紙又はリング綴じが水平に開き好ましい。その他水平に開ける綴じ構造であれば使用可能である。
挿入体５も特に材質は限定しないが、廃棄等を考慮して紙部材が好ましい。
【００１５】
図４〜図６は本発明の玩具の別の実施の形態を示す斜視図である。
冊子体１の綴じ部４を含んで穿孔部２を設けたものである。
このような構成とすることにより、冊子体の綴じ部４の背線を中心にして対称な穿孔部２が形成される。該穿孔部２に図６（ヘ）の直方体を挿入すると隙間を有する状態で挿入される。該穿孔部２に図６（ト）の直方体を挿入すると略隙間なく嵌合される。そして、挿入体印刷層６を長方形の４面に設ければ、４種類の印刷絵柄の組み合わせができる。また、冊子体の綴じ部４の背線を中心にして対称な穿孔部２であるため、挿入部２に挿入体を挿入した状態で冊子体を捲り、見開き印刷層３を変更できる。
また、図６（チ）のように挿入体５を立方体（正六面体）とすることにより、挿入体印刷層を６種類設けることが可能になる。そして、穿孔部２に該立方体が複数挿入可能とすることにより、絵柄等の組み合わせが大幅に増加する。
【００１６】
図７〜図９は本発明の玩具のさらに別の実施の形態を示す斜視図である。
図７は冊子体１を矩形ではなく、小口側にアールを設けてある。穿孔部２は綴じ部４を含んで挿入体５が複数入る大きさにしてある。
図８は図７の冊子体を開いた状態の説明斜視図である。背の綴じ部の背線を中心に対称な穿孔部２を形成する。該冊子体１は見開き印刷層３が設けられており、頁を捲ると異なる見開き印刷層３が現れる。
図９は冊子体１に３つの立方体である挿入体５を組み合わせた玩具である。該挿入体５の各面には異なる挿入体印刷層が設けられている。これらの挿入体５を冊子体１の穿孔部２に嵌合すると、見開き印刷層３と挿入体印刷層６による関連した印刷絵柄として認識できる。しかし、この場合、正しいえがらの組み合わせは６×６×６×６＝１２９６通りの中から１通りしかなく、パズルとしても面白いものである。これでさらに穿孔部２のサイズを大きくして立方体の挿入体が入る数を増やすとどんどん組み合わせが増え、難しさが増し対象年齢を上げることができる。
【００１７】
図１０は図９の玩具で、冊子体１の穿孔部２に挿入体５を嵌合した状態の平面説明図である。この図ではキリンのいる風景の中央部を穿孔部２とし、その抜けた部分を挿入体５の挿入体印刷層６した。この状態は正しく合った状態を示している。このように一枚の絵を分割したような場合は、隙間なく挿入した方が見栄えが良い。しかし必ずしも隙間があってはいけないことはない。
図１１は図９の正面から見た状態を示す説明図である。この場合、平面に置いて冊子体１より厚さが厚い挿入体５を挿入したので、面があってない状態になっている。これを面一に補正するには冊子体の厚さを厚くすればよい。
【００１８】
図１２は冊子体１に保持部７をスリット状の長穴にし、該保持部７に保持部材８の差し込み片１０を差し込み、冊子体１を保持部材８に保持する状態の説明図である。保持部材８は本実施の形態では、紙製で組み立て式としたので廃棄もし易いし、軽量で安価にできる。ストッパー９は差し込み片１０が倒れにくいように補強する役目がある。しかし、保持部材８の材質は紙に限定するものでなく、金属，木，プラスチック等使用可能である。また、形状も箱形になってなくてもよく、差し込み片部分のみのピンの様なものでも構わない。
【００１９】
図１３は図１２の保持部材８の差し込み片１０に冊子体１の保持部７を挿入した状態を正面から見た状態の説明図である。保持部材８の高さを調整し、面一に合っている。また、この状態で保持部７を余裕のあるサイズにしておけば、図のように保持した状態で冊子体１を捲ることができる。
【００２０】
ここで、関連した印刷絵柄について例を挙げて示すと、図１０のように１まいの絵を穿孔部で分けたものがまず挙げられる。この場合に冊子体の見開き印刷層にヒントになる文字が印刷されることもある。
次に絵柄の中に関連したマッチする静物，人物，動物，植物，建物等を挿入するものが挙げられる。また、算数の問題と式及び解答の組み合わせ等も考えられる。このように文字，図形，絵柄等の単独又はそれらの組み合わせで関連するものが、関連した印刷絵柄である。
【００２１】
【実施例】
＜実施例１＞
以下図面を用いて実施例を説明する。
図９に示す冊子体と挿入体を紙で作製した。冊子体は合紙本の形で綴じ、中央に立方体の挿入体が３つ嵌合可能な穿孔部を設けた。見開き印刷層は６頁とした。絵柄はキリン，像，うさぎ，ねこ，カンガルー，パンダの絵柄とし、中央を切り欠き、そこの絵柄の部分を３分割して挿入体印刷層とした。
構造は図１２に示すような冊子体に保持部７を設け、保持部材８にセット可能とした。保持部材８は紙で展開図を打ち抜き折り曲げて作製した。
このような構成としたので、保持部材にセットした状態で冊子体が捲れ、６種類の見開き印刷層を見ることが出来、穿孔部に挿入体を挿入し動物の絵柄を完成することができた。このように、この玩具を用いることにより、子供の知恵を付け、推理力，集中力，構成力等の知能の発育を促す等教育上有効である。
【００２２】
＜実施例２＞
実施例１と同様な内容で綴じ部のみリング綴じで行った。冊紙体が水平に開き、実施例１と同様の効果であった。
【００２３】
【発明の効果】
請求項１に記載の発明は、見開き印刷層と挿入体印刷層とが関連した印刷絵柄として認識可能な正しい組み合わせになったときに正解とするパズルとして用いることもでき、幼児、子供等の知的発育を伸ばすことも可能である。
【００２４】
請求項２に記載の発明は、見開き印刷層と挿入体印刷層との組み合わせの数が増えるので、パズル等の玩具として用いる場合、より難しいものとなり対象年齢の幅も広くなる。
【００２５】
請求項３に記載の発明は、見開き印刷層と複数の挿入体の挿入体印刷層との組み合わせの数が増えるので、パズル等の玩具として用いる場合、より難しいものとなり対象年齢の幅も広くなる。
【００２６】
請求項４に記載の発明は、穿孔部を矩形にでき、挿入体の平坦部が６面になる。それで上面の挿入体印刷層が冊子体の見開き印刷層と一致するか平行段違いの状態になる。また、下面も平坦部となり冊子体の穿孔部に前記挿入体を挿入した時の安定も良い。
【００２７】
請求項５に記載の発明は、冊子体に正六面体の一面の形状の穿孔部を設けた場合、そこに挿入体を挿入し各面を出せば６種類の印刷層が得られ、冊子体の見開き印刷層との６種類の組み合わせが得られる。また、冊子体を捲って見開き印刷層を変えればそこでも６種類の組み合わせができる。すなわち、冊子体の見開き頁の数の６倍の組み合わせとなる。
【００２８】
請求項６に記載の発明は、関連した一つの絵柄が隙間なく連続して見やすいと共に、組み合わせは飛躍的に増大する。
【００２９】
請求項７に記載の発明は、冊子体を捲り見開き印刷層を変えても常に穿孔部の形状が同じになり、挿入体を共通して見開き中央に挿入可能とする。
【００３０】
請求項８に記載の発明は、冊子体を見開いた状態で保持できると共に、挿入体を冊子体に挿入する時の高さ方向の調整が可能となる。すなわち、冊子体の厚さより高さ方向に大きい挿入体を挿入しても、冊子体の見開き印刷層と  挿入体の挿入体印刷層の面を合わせることができる。
【００３１】
【図面の簡単な説明】
【図１】本発明の玩具の一部である冊子体の一実施の形態を示す斜視図である。
【図２】図１の冊子体を開いた状態を示す説明図である。
【図３】本発明の玩具の一部である挿入体（イ），（ロ），（ハ），（ニ），（ホ）の斜視説明図である。
【図４】本発明の玩具の一部である冊子体の別の一実施の形態を示す斜視図である。
【図５】図４の冊子体を開いた状態を示す説明図である。
【図６】本発明の玩具の一部である挿入体（ヘ），（ト），（チ）の斜視説明図である。
【図７】本発明の玩具の一部である冊子体のさらに別の一実施の形態を示す斜視図である。
【図８】図７の冊子体を開いた状態を示す説明図である。
【図９】本発明の玩具の一実施の形態を示す説明図である。
【図１０】図９の玩具をセットした状態の平面説明図である。
【図１１】図１０の状態を正面から見た説明図である。
【図１２】本発明の玩具の別の一実施の形態を示す説明図である。
【図１３】図１２の玩具を正面から見た説明図である。
【符号の説明】
１…冊子体  ２…穿孔部  ３…見開き印刷層  ４…綴じ部  ５…挿入体  ６…挿入体印刷層  ７…保持部  ８…保持部材  ９…ストッパー  １０…差し込み片
【図１】
0003849262.tif 000002
【図２】
0003849262.tif 000003
【図３】
0003849262.tif 000004
【図４】
0003849262.tif 000005
【図５】
0003849262.tif 000006
【図６】
0003849262.tif 000007
【図７】
0003849262.tif 000008
【図８】
0003849262.tif 000009
【図９】
0003849262.tif 000010
【図１０】
0003849262.tif 000011
【図１１】
0003849262.tif 000012
【図１２】
0003849262.tif 000013
【図１３】
0003849262.tif 000014